(57)【要約】【課題】乾燥した空気を加湿する加湿装置において、コンパクトでも高い加湿性能を得ることを目的とする。また、気化フィルタの回転軸がぶれにくく、より信頼性の高い構造を備えた加湿装置を提供することを目的とする。【解決手段】本体１１と、送風手段としてのファン１２と、貯水槽１３と、中空円筒形状でかつ円筒の曲面１５および両端の二つの平面１６に開口を有する気化フィルタ１４を備え、加湿装置内に導入された空気が、円筒中空形状の気化フィルタ１４を通過する際に、流れ方向を直角に変えて加湿され、加湿空気は曲面１６の開口から排出される構成とする。これにより、風速分布が均一で圧力損失と騒音が低い構造の気化フィルタを備えた、水分の気化効率がよいコンパクトな加湿装置を提供できる。同時に、気化フィルタの回転軸がぶれにくく、より信頼性の高い構造を備えた加湿装置を提供できる。【選択図】図１
2009030856.tif 000002
【特許請求の範囲】
【請求項１】
本体と、空気を送風する送風手段と、水を貯水する貯水槽と、水を気化する中空円筒形状の気化フィルタとを備える加湿装置において、前記気化フィルタが円筒の曲面と前記円筒の両端の二つの平面に開口を有し、前記送風手段によって導入された空気が前記貯水槽から供給された水によって湿潤した気化フィルタを通過する加湿装置。
【請求項２】
送風手段によって導入された空気が気化フィルタを通過する際に、流れ方向を直角に変えることを特徴とする請求項１記載の加湿装置。
【請求項３】
気化フィルタの円筒の中心軸を貯水槽の水面と平行に維持し、かつ気化フィルタと貯水槽の距離を一定に保つための間隔保持手段を備えたことを特徴とする請求項１または２に記載の加湿装置。
【請求項４】
気化フィルタに、気化フィルタの形状を維持する枠を備えたことを特徴とする請求項１乃至３のいずれかに記載の加湿装置。
【請求項５】
気化フィルタが回転可能であることを特徴とする請求項１乃至４のいずれかに記載の加湿装置。
【請求項６】
気化フィルタの円筒の中心軸を、気化フィルタの回転軸としたことを特徴とする請求項５記載の加湿装置。
【請求項７】
気化フィルタの形状を維持する枠に設けた従動ギアを、駆動手段と接続して気化フィルタを回転させることを特徴とする請求項５または６記載の加湿装置。
【請求項８】
気化フィルタ駆動手段が本体に固定されていることを特徴とする請求項７記載の加湿装置。
【請求項９】
気化フィルタの上流に加熱手段を設けたことを特徴とする請求項１乃至８のいずれかに記載の加湿装置。
【請求項１０】
加熱手段が本体に固定されていることを特徴とする請求項９記載の加湿装置。
【請求項１１】
気化フィルタの中空部に、加熱手段が挿入されていることを特徴とする請求項９または１０記載の加湿装置。
【請求項１２】
送風手段を、気化フィルタの下流に備えたことを特徴とする請求項１乃至１１のいずれかに記載の加湿装置。
【発明の詳細な説明】
【技術分野】
【０００１】
本発明は、水を保持した気化フィルタへの通風により、水分を気化して加湿する加湿装置に関する。
【背景技術】
【０００２】
従来、この種の加湿装置は、図５に示すように、中空円筒形状の気化フィルタ１０１が一方端面を閉じた閉止部１０２と他方を開口した開口部１０３を有し、その開口部１０３から気化フィルタ１０１の内部に送風するものが知られている。また、中空円筒形状の気化フィルタ１０１は、その中心軸１０４を回転軸として回転する。気化フィルタ１０１の下部を水槽１０５の水面下に浸水させることにより、気化フィルタ１０１に水を付着させる仕組みとなっている（特許文献１参照）。
【特許文献１】実開昭５６−２１１３８号公報
【発明の開示】
【発明が解決しようとする課題】
【０００３】
このような従来の加湿装置では、中空円筒形状の気化フィルタの一方の開口部から気化フィルタの内部に空気を導入して曲面の開口部から空気を徐々に排出するが、円筒の長さが長くなるにつれて風速分布が不均一になりやすく、空気が気化フィルタを通過する速度の差によって排出される湿度にばらつきが発生し、加湿の効率が悪いという課題があった。
【０００４】
また、一方端面が閉止されているため、気化フィルタの円筒軸方向に押し付ける力が発生して気化フィルタの回転軸がぶれやすく、より信頼性の高い構造が求められていた。また、空気を導入する開口部が狭いために、圧力損失が高く、騒音を低減することが要求されている。
【０００５】
本発明は、このような従来の課題を解決するものであり、気化フィルタを通過する風速分布が均一で圧力損失と騒音が低い構造の気化フィルタを備えることによって、水分の気化効率がよいコンパクトな加湿装置を提供することを目的としている。また、気化フィルタの回転軸がぶれにくく、より信頼性の高い構造を備えた加湿装置を提供することを目的とする。
【課題を解決するための手段】
【０００６】
本発明の加湿装置は上記目的を達成するために、本体と、空気を送風する送風手段と、水を貯水する貯水槽と、水を気化する中空円筒形状の気化フィルタとを備える加湿装置において、前記気化フィルタが円筒の曲面と前記円筒の両端の二つの平面に開口を有し、前記送風手段によって導入された空気が前記貯水槽から供給された水によって湿潤した気化フィルタを通過するものである。
【０００７】
これにより、円筒の両端の二つの平面で形成される開口部の面積が大きく、開口部を通過する空気の面風速を低下させることができるために、圧力損失が低減し、それにより騒音を低減することができる。また、円筒の両端の二つの平面から空気を導入することにより、空気が気化フィルタを通過する風速分布が均一化され、水分の気化効率のよい気化フィルタを得ることができる。また、気化フィルタの円筒軸方向に押し付ける力が発生しないため、気化フィルタの回転軸がぶれにくく、より信頼性の高い構造を備えた加湿装置を得ることができる。
【０００８】
また、加湿装置内に導入された空気が、気化フィルタを通過する際に、流れ方向を直角に変えることを特徴とするものである。
【０００９】
また、気化フィルタの円筒の曲面、すなわち円筒の中心軸を貯水槽の水面と平行に維持し、かつ気化フィルタと貯水槽の距離を一定に保つための間隔保持手段を備えたことを特徴とするものである。
【００１０】
また、気化フィルタに、気化フィルタの形状を維持する枠を備えたことを特徴とするものである。
【００１１】
また、気化フィルタが回転可能であることを特徴とするものである。
【００１２】
また、気化フィルタの円筒の中心軸を、気化フィルタの回転軸としたことを特徴とするものである。
【００１３】
また、気化フィルタの形状を維持する枠に設けた従動ギアを、駆動手段と接続して気化フィルタを回転させることを特徴とするものである。
【００１４】
また、気化フィルタ駆動手段が本体に固定されていることを特徴とするものである。
【００１５】
また、空気の流れに対し、気化フィルタの上流に加熱手段を設けたことを特徴とするものである。
【００１６】
また、加熱手段が本体に固定されていることを特徴とするものである。
【００１７】
また、気化フィルタの中空部に、加熱手段が挿入されているものである。
【００１８】
また、送風手段を、空気の流れに対し、気化フィルタの下流に備えたことを特徴とするものである。
【発明の効果】
【００１９】
本発明によれば、気化フィルタを通過する風速分布が均一で圧力損失と騒音が低い気化フィルタが得られ、水分の気化効率がよいコンパクトな加湿装置を提供することができ、また、気化フィルタの回転軸がぶれにくく、より信頼性の高い構造を備えた加湿装置を提供することができる。
【発明を実施するための最良の形態】
【００２０】
本発明の請求項１記載の発明は、本体と、空気を送風する送風手段と、水を貯水する貯水槽と、水を気化する中空円筒形状の気化フィルタとを備える加湿装置において、前記気化フィルタが円筒の曲面と前記円筒の両端の二つの平面に開口を有し、前記送風手段によって導入された空気が前記貯水槽から供給された水によって湿潤した気化フィルタを通過する加湿装置であり、円筒の両端の二つの平面で形成される開口部の面積が大きく、開口部を通過する空気の面風速を低下させることができるために、圧力損失が低減し、それにより騒音を低減することができる。
【００２１】
また、円筒の両端の二つの平面から空気を導入することにより、空気が気化フィルタを通過する風速分布が均一化され水分の気化効率がよい気化フィルタを得ることができる。また、気化フィルタの円筒軸方向に押し付ける力が発生しないため、気化フィルタの回転軸がぶれにくく、より信頼性の高い構造を備えた加湿装置を得ることができる。
【００２２】
また、円筒両端の二つの平面を空気が通過するので、加湿装置の左右両方向の空気を吸引、または左右両方向に空気を吹き出すことができ、加湿装置を設置した空間の湿度がより早く均一になり、短時間で加湿することができる。また、貯水槽から気化フィルタに供給される水の量を制御することにより、短時間で安定的な湿潤空気を得ることができる。
【００２３】
また、加湿装置内に導入された空気が、気化フィルタを通過する際に、流れ方向を直角に変えることにより、室内空気を加湿装置に導入してから気化フィルタを通過させ、加湿空気を装置の外に排出するまでの通風路を短縮または省略することができるために、よりコンパクトな加湿装置を得ることができる。また、気化フィルタの円筒軸方向に押し付ける力が発生しないため、気化フィルタの回転軸がぶれにくく、より信頼性の高い構造を得ることができる。
【００２４】
また、気化フィルタの円筒の曲面を貯水槽の水面と平行に維持し、かつ気化フィルタと貯水槽の距離を一定に保つための間隔保持手段を備えたことにより、気化フィルタの設置位置を固定することができる。水面と気化フィルタの円筒の曲面との距離が一定に保たれているので、気化フィルタの湿潤状態を一定に保つことができ、安定した加湿性能を得ることができる。また、貯水槽から気化フィルタへの水の供給において、その供給経路を最短とすることができる。また、気化フィルタに水を供給する際に、余剰な水分は下部に設けた貯水槽に最短経路にて戻すことができる。
【００２５】
また、気化フィルタの形状を維持する枠を備えたことにより、気化フィルタが柔軟な構造であっても、回転させたり取り外したりする際にも、変形を防止することができるという作用を有する。また、水面と気化フィルタの円筒の曲面との距離が一定に保たれているので、気化フィルタの湿潤状態を一定に保つことができ、安定した加湿性能を得ることができる。
【００２６】
また、気化フィルタが回転可能であることにより、気化フィルタ表面に供給した水を気化フィルタ全体へ拡散することができる。これにより、気化フィルタ全体をくまなく湿潤状態に保つことができ、安定した加湿性能を得ることができる。また、気化フィルタの円筒の曲面の一部を貯水槽に浸しながら回転させれば、水供給手段としてのノズルやポンプを設ける必要がなく、貯水槽をもって気化フィルタへの水供給を行うことができる。
【００２７】
また、気化フィルタの円筒の中心軸を、気化フィルタの回転軸とすることにより、中空円筒形状の気化フィルタの曲面に対し、風速分布を均一化し、また、水の供給も気化フィルタ全体に均一に行うことができる。また、気化フィルタの回転軸と本体の距離を一定に保つことにより、気化フィルタの円筒の曲面を貯水槽の水面と平行に維持することができるため、気化フィルタの湿潤状態を一定に保つことができ、安定した加湿性能を得ることができる。
【００２８】
また、気化フィルタの形状を維持する枠に設けた従動ギアを、駆動手段と接続して気化フィルタを回転させることにより、気化フィルタの回転速度を制御できるために、気化フィルタに供給する水の量を増減させることが容易となる。また、間欠的に回転を停止するよう制御することもできる。気化フィルタへの水供給を停止した状態で気化フィルタを回転させ、さらに通風のみ行えば、気化フィルタの表面を乾燥させることができ、カビなどの繁殖を抑えることができるという効果が得られる。また、駆動手段の駆動ギアと、気化フィルタに設けた従動ギアを接続して気化フィルタを回転させることにより、駆動手段と気化フィルタが別部材であるために、これらを取り外すことができるという作用を有する。これにより、駆動系に接続していない気化フィルタを取り出すことができ、清掃を容易にできるという効果が得られる。また、駆動ギアと従動ギアの歯数や径を調整することにより、気化フィルタの回転速度を容易に変更することができる。
【００２９】
また、気化フィルタ駆動手段が本体に固定されていることにより、駆動手段が加湿装置から外れないという作用を有する。これにより、使用者が駆動手段に触れることがなく、回転速度や、ギアの配置を安定的に得ることができる。
【００３０】
また、空気の流れに対し、気化フィルタの上流に加熱手段を設けたことにより、気化フィルタに供給する空気を加熱するという作用を有する。これにより、空気の飽和水蒸気量を増加させることができ、気化フィルタを通過する際には、空気の流量が同じでもより多くの水分を空気に含ませることができ、効率的に加湿を行うことができる。
【００３１】
また、加熱手段が本体に固定されていることにより、加熱手段は加湿装置から外れないという作用を有する。これにより、使用者が加熱手段に触れることがなく、加熱手段の寿命低下などを防止することができる。
【００３２】
また、気化フィルタの中空部に、加熱手段が挿入されていることにより、熱が、気化フィルタや被加湿空気以外に奪われることがなく、より効率的に加熱できるという効果が得られる。また、気化フィルタ自身が、加熱手段の保護カバーを兼ねることができる。また、加熱手段には入力のための端子が必要で、気化フィルタと同時に回転させることが困難であるが、気化フィルタの内部に加熱手段が挿入されていれば、気化フィルタが回転しても加熱手段は回転しない構造にすることができる。
【００３３】
また、送風手段を、空気の流れに対し、気化フィルタの下流に備えたことにより、気化フィルタ全体から風を吸込み、風速分布を抑えることができるという効果が得られる。また、気化フィルタを通過した加湿空気を室内に排出するまでの通風路を短縮することができるために、よりコンパクトな加湿装置を得ることができる。
【００３４】
以下、本発明の実施の形態について図面を参照しながら説明する。
【００３５】
（実施の形態１）
本発明の実施の形態１は、図１に示す加湿装置は、本体１１と、送風手段としてのファン１２と貯水槽１３と中空円筒形状の気化フィルタ１４を備え、気化フィルタ１４の円筒の曲面１５と円筒両端の二つの平面１６に開口を有することを特徴としている。加湿装置内に導入された空気が、円筒中空形状の気化フィルタ１４を通過する際に、円筒の両端の二つの平面１６の開口から円筒内部に導入された空気が流れ方向を直角に変えて、湿潤した気化フィルタ１４の円筒の曲面１５を通過することによって加湿され、加湿空気は曲面１５の開口から排出される。
【００３６】
空気の流れとしては、たとえば、図１中の矢印で示すように、中空円筒形状の気化フィルタの円筒両端の二つの平面１６から空気を吸込み、気化フィルタ１４の円筒曲面を通過する流れや、逆に気化フィルタの円筒の曲面１５を通過した後に加湿空気が気化フィルタ１４の円筒両端の二つの平面１６から出て行く流れが考えられる。このとき、中空円筒形状の円筒端の平面の片面だけでなく円筒両端の二面を通気口として利用することにより、円筒両端の二つの平面１６で形成される開口部の面積が大きく、開口部を通過する空気の面風速を低下させることができるために、圧力損失が低減し、それにより騒音を低減することができる。
【００３７】
また、円筒両端の二つの平面１６から空気を導入することにより、空気が気化フィルタを通過する風速分布が均一化され水分の気化効率のよい気化フィルタ１４を得ることができる。また、気化フィルタの内部で空気の流れ方向を直角に変える構成とすることにより、気化フィルタ通過前後の通風路を短縮または省略することができるために、よりコンパクトな加湿装置を得ることができる。また、気化フィルタ１４の円筒軸方向に押し付ける力が発生しないため、気化フィルタ１４の回転軸がぶれにくく、より信頼性の高い構造を備えた加湿装置を得ることができる。また、円筒両端の二つの平面１６を空気が通過するので、加湿装置の左右両方向の空気を吸引、または左右両方向に空気を吹き出すことができ、加湿装置を設置した空間の湿度がより早く均一になり、短時間で加湿することができる。
【００３８】
気化フィルタ１４の円筒の曲面１５と円筒両端の二つの平面１６に開口を有する構造としては、たとえば、三次元骨格を有する発泡ウレタンや、表裏の開口を繊維によって連結する立体織物、不織布を用いたコルゲートハニカムなどを、巻いたり、押し出したりして得ることができる。このとき、発泡ウレタンや樹脂繊維を使った立体織物をフィルタ基材として利用すれば、柔軟で成形性に富み、かつ軽量な気化フィルタを得ることができる。また、基材が発泡ウレタンや立体織物のような立体構造であれば、表面積が増大するために、気化フィルタ上に保持した水と通過空気との接触効率が向上するために、気化フィルタの高効率化を実現することができる。また、紙や不織布をハニカム構造に成形したものをフィルタ基材として利用すれば、形状安定性に優れ、より低い圧力損失の気化フィルタを得ることができる。
【００３９】
気化フィルタの材質は、樹脂や金属、天然繊維やパルプなど、円筒中空形状を形成できるものであれば何でもよく、その表面には、加湿効率を向上させるために、界面活性剤を含ませたり、ゼオライトや珪藻土、シリカゲル、カオリンなどの吸水性を有する材料を担持したりして、保水性や放湿性を付与しても良い。気化フィルタが有する開口の大きさや形状については、とくに限定しないが、特に曲面における開口は、たとえば１セル以上／ｃｍ２の開口密度であれば、通気性を確保しながらも空気と気化フィルタとの接触面積を大きくすることができるために、高い気化効率を得ることができる。
【００４０】
（実施の形態２）
本発明の実施の形態２は、図２および図３に示すように、中空円筒形状の気化フィルタ２１は、その外周および／または内周に形状を維持する枠２２を設けている。また、気化フィルタ２１は、その円筒の中心軸２３を回転の軸とし貯水槽２５の水面と平行に維持し、その円筒の中心軸２３に円筒の曲面２９、すなわち円筒の曲面端３０を平行とし、気化フィルタ２１の円筒の曲面２９を貯水槽２５の水面と平行、すなわち円筒の曲面端３０を貯水槽２５の水面と平行に維持し、かつ気化フィルタ２１と貯水槽２５の距離を一定に保つための間隔保持手段として、枠２２に接続する第１の保持軸２４と貯水槽２５に接続する第２の保持軸２６によって支えられながら回転している。
【００４１】
前記第１の保持軸２４は、気化フィルタ２１の内周に設けた形状を維持する枠２２に接続している。また、気化フィルタ２１は、その下部に設けた貯水槽２５に貯水した水に円筒の曲面の一部を浸したまま、駆動手段としてのステッピングモータ２７に設けた駆動ギアと、枠２２に設けた従動ギア２８を接続して回転する。
【００４２】
中空円筒形状の気化フィルタ２１を、駆動手段によって回転させることにより、気化フィルタ表面に供給した水を気化フィルタ全体へ拡散することができる。これにより、気化フィルタ２１全体をくまなく湿潤状態に保つことができ、安定した加湿性能を得ることができる。また、ステッピングモータ２７の回転速度を制御することによって、気化フィルタ２１の回転速度を制御できるために、気化フィルタに供給する水の量を調整することができる。また、間欠的に回転を停止するよう制御することもできる。たとえば、気化フィルタへの水供給を停止した状態で気化フィルタを回転させ、さらに通風を行えば、気化フィルタの表面を乾燥させることができ、カビなどの繁殖を抑制することができる。
【００４３】
また、駆動手段に設けた駆動ギアと、気化フィルタに設けた従動ギアを接続して気化フィルタを回転させれば、駆動手段と気化フィルタが別部材であるために、気化フィルタだけを取り外すことができる。これにより、気化フィルタの清掃に水を使用した場合でも、駆動手段を濡らすことがなく、通電部への水付着による短絡などを防ぐことができる。また、駆動ギアと従動ギアの歯数や径を調整することにより、気化フィルタの回転速度を容易に変更することができる。
【００４４】
中空円筒形状の気化フィルタに、形状を維持する枠を設けることにより、気化フィルタが柔軟であっても、回転させたり取り外したりする際にも変形を防止できる。また、回転させる場合には、中心軸がぶれることなく回転をすることが可能となる。枠は、気化フィルタの外周と内周の両方またはどちらか一方に付設しても良い。外周または内周に設けた枠を、回転駆動手段に接続する従動ギアと兼用する場合は、部品点数を削減することができる。枠の材質としては、樹脂や金属などが挙げられ、これらを棒状や輪状にすることで枠として利用することができる。
【００４５】
気化フィルタ２１の円筒の曲面２９の一部を、その下部に設けた貯水槽２５に浸せば、たとえば、気化フィルタ２１がレーヨン繊維の不織布で構成され自己吸水性を有する場合には、貯水槽２５の水を自ら吸上げ給水できる。また、ノズルや超音波霧化手段などを用いて気化フィルタ２１に水を散布する場合には、給水と同時に、余剰な水分は下部に設けた貯水槽２５に速やかに戻すことができるため、水を循環使用することができる。
【００４６】
さらに、気化フィルタ２１を回転させることにより、給水を気化フィルタ２１全体に均一に行うことができるという効果が得られる。また、気化フィルタ２１を回転させる場合、気化フィルタが水を汲み上げ自身を濡らすことができるために、ノズルやポンプなどの給水手段をとくに設ける必要がない。
【００４７】
気化フィルタ２１の円筒の曲面２９を貯水槽２５の水面と平行に維持し、すなわち円筒の曲面端３０を貯水槽２５の水面と平行に維持し、かつ気化フィルタ２１と貯水槽２５の距離を一定に保つための間隔保持手段として、枠に接続する第１の保持軸と貯水槽に接続する第２の保持軸によって気化フィルタを支えることにより、気化フィルタ２１の設置位置を固定することができる。これにより、貯水槽２５を取り外す際には、気化フィルタ２１を同時に取り出すことができる。通常、水に触れる部分は、水道水が含むスケール成分や、滞留によって繁殖した菌などによって汚れやすいが、これらを同時に取り出すことができれば、使用者にとって、取り出す作業が容易になり、清掃し易くなる。
【００４８】
また、取り出すことによって、使用者は貯水槽２５の内部や気化フィルタ２１の具合を視認できる。また、貯水槽との距離を一定に保つことにより、水面と気化フィルタ２１の円筒の曲面２９、すなわち円筒の曲面端３０との距離が一定に保たれているので、気化フィルタ２１の湿潤状態を一定に保つことができ、安定した加湿性能を得ることができる。また、貯水槽２５から気化フィルタ２１への水の供給において、その供給経路が最短とすることができる。また、気化フィルタ２１に水を供給する際に、余剰な水分は下部に設けた貯水槽に最短経路にて戻すことができる。
【００４９】
（実施の形態３）
本発明の実施の形態３は、図４に示すように、中空円筒形状の気化フィルタ４１は、駆動手段としてのステッピングモータ４２によって回転する。ステッピングモータ４２は、本体４３に固定されているため、貯水槽４４を本体４３から着脱する際にも外れないようになっている。また、貯水槽４４は、スライド着脱自在になっている。空気の流れは、中空円筒形状の気化フィルタ４１の円筒の両端の二つの平面４７から空気を吸込んだ後、気化フィルタ４１の曲面４８を通過するように、気化フィルタ４１の下流に設けた送風手段としてのファン４５によって空気を吸込む機構となっている。この空気の流れに対し気化フィルタ４１の上流となる中空円筒形状の気化フィルタ４１の内部には加熱手段としてのハロゲンヒータ４６が挿入されている。ハロゲンヒータ４６は、円筒の曲面４８、すなわち円筒の曲面端４９に平行な気化フィルタ４１の中心軸の内部に設けている。このとき、中心軸は中空であり、その中に配置されたハロゲンヒータ４６は本体４３に固定されているため、貯水槽４４を加湿装置から着脱する際にも外れない。
【００５０】
加熱手段が本体に固定されていれば、使用者が清掃時に気化フィルタや貯水槽を取り外す際にも、加熱手段に触れることはないため、加熱手段の寿命低下などを防止することができる。また、運転直後に、加熱手段が熱を持っている状態でも、加湿装置の使用者が触れることがなく、安全性にも優れたものとなる。加熱手段としては、棒状に成形できるものがよく、たとえば、ハロゲンヒータ４６やカーボンヒータ、ニクロム線ヒータやセラミックヒータなどを用いることができる。
【００５１】
円筒の曲面４８、すなわち円筒の曲面端４９に平行な気化フィルタ４１の中心軸が中空構造であり、その内部に、加熱手段としての例えばハロゲンヒータ４６が挿入されていれば、気化フィルタ４１の中心軸が、加熱手段の保護カバーを兼ねることができる。また、加熱手段には入力のための端子が必要で、気化フィルタ４１と同時に回転させることが困難であるが、中心軸によって覆われていれば、中心軸が回転しても加熱手段は回転しない構造にすることができるという効果が得られる。たとえば、外径２００ｍｍ、内径１５０ｍｍ、すなわち厚み２５ｍｍの円筒中空気化フィルタにおいて、その曲面に平行な外径３０ｍｍ、内径２４ｍｍ、すなわち厚み３ｍｍの中空構造をした中心軸を設け、その内部に、加熱手段としての径１５ｍｍの棒状のハロゲンヒータ４６を挿入することにより、上記効果を得ることができるようになる。
【００５２】
気化フィルタの駆動手段としてのステッピングモータ４２が本体に固定されていれば、駆動手段としてのステッピングモータ４２が本体から外れないために、使用者が駆動手段に触れることがなく、回転速度や、ギアの配置を安定的に得ることができる。たとえば、棒状のハロゲンヒータ４６の入力端子を、棒の片端に集めて配置することにより、本体への固定は容易に行うことができる。
【００５３】
貯水槽を、加湿装置にスライド着脱自在に設ければ、貯水槽４４や気化フィルタ４１を容易に取り外すことができ、水中の汚れが付着しやすい部位の清掃も容易になる。このとき、貯水槽が加湿装置から外れているときには加湿装置の運転を行わないよう安全装置を取り付けておくと良い。これにより、使用者の安全および省エネ性を確保することができる。
【００５４】
空気の流れに対し、気化フィルタ４１の上流に加熱手段を設ければ、気化フィルタに供給する空気を加熱するという作用を有する。これにより、空気の飽和水蒸気量を増加させることができ、空気が気化フィルタを通過する際には、空気の流量が同じでもより効率的に加湿を行うことができる。
【００５５】
送風手段を、空気の流れに対し、気化フィルタの下流に備えたことにより、気化フィルタ全体から風を吸込み、風速分布を抑えることができるという効果が得られる。また、気化フィルタを通過した加湿空気を加湿装置の外に排出するまでの通風路を短縮または省略することができるために、よりコンパクトな加湿装置を得ることができる。
【産業上の利用可能性】
【００５６】
中空円筒形状の気化フィルタの円筒の曲面と二つの平面に開口を有し、加湿装置内に導入された空気が、気化フィルタを通過する際に、流れ方向を直角に変える構成により、より効率的でコンパクトな家庭用・業務用加湿装置の他、空気調和装置、水の気化熱を利用して冷風を得る冷風扇などへの用途にも適用できる。
【図面の簡単な説明】
【００５７】
【図１】本発明の実施の形態１の加湿装置を示す概略断面図
【図２】本発明の実施の形態２の加湿装置を示す概略断面図
【図３】本発明の実施の形態２の気化フィルタおよび枠を示す概略斜視図
【図４】本発明の実施の形態３の加湿装置を示す概略断面図
【図５】従来の加湿装置を示す概略断面図
【符号の説明】
【００５８】
１１    本体
１２    ファン
１３    貯水槽
１４    気化フィルタ
１５    曲面
１６    平面
２１    気化フィルタ
２２    枠
２３    中心軸
２４    第１の保持軸
２５    貯水槽
２６    第２の保持軸
２７    ステッピングモータ
２８    従動ギア
４１    気化フィルタ
４２    ステッピングモータ
４３    本体
４４    貯水槽
４５    ファン
４６    ハロゲンヒータ
１０１  気化フィルタ
１０２  閉止部
１０３  開口部
１０４  中心軸
１０５  水槽
【図１】
2009030856.tif 000003
【図２】
2009030856.tif 000004
【図３】
2009030856.tif 000005
【図４】
2009030856.tif 000006
【図５】
2009030856.tif 000007